(57)【要約】【課題】集合樋の幅を変えることなく、パチンコ島の島幅の変化に対処できる、パチンコ機のアウト玉計数装置を提供すること。【解決手段】パチンコ機のアウト玉計数装置は、パチンコ機の背面側に配置される受皿と、受皿を離脱可能に取り付ける取付台と、アウト玉の計数器と、パチンコ玉流出用の１つの流出孔、及びこの流出孔に向けて下り傾斜した底面を有するスロープと、を備える。受皿（２３）は、取付台からの距離が異なる、アウト玉流出用の２つの流出孔（３３ａ，３３ｂ）を有し、かつ、これら２つの流出孔のいずれかを使用状態にすべく取付台に選択的に取り付けられ、スロープは、使用状態にした受皿の流出孔にアウト玉を流出すべく受皿に取り付けられ、計数器は、使用状態にした受皿の流出孔から流出するアウト玉を計数すべく受皿に取り付けられる。【選択図】      図３
2004173822.tif 000002
【特許請求の範囲】
【請求項１】
パチンコ機の背面側に配置される受皿と、
この受皿を離脱可能に取り付ける取付台と、
アウト玉の計数器と、
パチンコ玉流出用の１つの流出孔、及びこの流出孔に向けて下り傾斜した底面を有するスロープと、を備え、
前記受皿は、前記取付台からの距離が異なる、アウト玉流出用の２つの流出孔を有し、かつ、これら２つの流出孔のいずれかを使用状態にすべく前記取付台に選択的に取り付けられ、
前記スロープは、使用状態にした前記受皿の流出孔にアウト玉を流出すべく前記受皿に取り付けられ、
前記計数器は、使用状態にした前記受皿の流出孔から流出するアウト玉を計数すべく前記受皿又は取付台に取り付けられる
ことを特徴とする、パチンコ機のアウト玉計数装置。
【請求項２】
前記受皿は、底面から下方へ向けて突出した差込片を有し、
前記取付台は、前記差込片を受け入れて固定する受入孔を有する
ことを特徴とする、請求項１に記載のパチンコ機のアウト玉計数装置。
【請求項３】
前記計数器は、前記受皿に取り付けられる
ことを特徴とする、請求項１又は２に記載のパチンコ機のアウト玉計数装置。
【請求項４】
前記受皿は、実質的に長方形の平面形状を有し、前記２つの流出孔は、長方形の短辺及び長辺にそれぞれ対応する部位に設けられた
ことを特徴とする、請求項１ないし３のいずれかに記載のパチンコ機のアウト玉計数装置。
【請求項５】
前記スロープは、実質的に正方形の平面形状を有する
ことを特徴とする、請求項４に記載のパチンコ機のアウト玉計数装置。
【発明の詳細な説明】
【０００１】
【発明の属する技術分野】
この発明は、パチンコ機のアウト玉計数装置に関する。
【０００２】
【従来の技術】
通常、パチンコ機では、アウト玉、つまり遊技に供されたパチンコ玉を、パチンコ機の背面側に配置したアウト玉計数装置を経て落下させて計数すると共に、パチンコ機へのパチンコ玉の投入数量を計数し、数量管理をしている。
【０００３】
パチンコホールでは、複数のパチンコ機を並列配置して、いわゆるパチンコ島を作り、アウト玉などを原則的にパチンコ島単位で処理する。この場合、複数のパチンコ機それぞれから流出したアウト玉をパチンコ島内の一箇所に集める必要があることから、各パチンコ機の遊技面と実質的に平行な方向へ延びる１つの集合樋をパチンコ島の中央に配置し、アウト玉を集合樋に落下させる。
【０００４】
【発明が解決しようとする課題】
従来、アウト玉計数装置に設ける受皿は、パチンコ機に固定的に取り付けられており、受皿に一箇所設けた流出孔は、固定位置を占めている。そのため、パチンコ島の島幅、つまり前記集合樋の延びている方向と直交する方向のパチンコ島の幅が異なる場合、特に、島幅が広がる場合、受皿の流出孔からのアウト玉を確実に集合樋に落下させるため、集合樋の幅を広げる必要があった。本発明は、集合樋の幅を変えることなく、パチンコ島の島幅の変化に対処できる、パチンコ機のアウト玉計数装置を提供することを課題とする。
【０００５】
【課題を解決するための手段】
前記課題を解決するため、本発明者は、アウト玉の受皿からの流出位置を変えるようにすれば、集合樋の幅を変えたのと同じ効果が得られることに着目して本発明を完成させた。発明の詳しい構成については項を改めて説明する。なお、いずれかの請求項に記載した発明について行う用語の定義などは、発明の性質に反しない限り、他の請求項に記載した発明にも適用されるものとする。
【０００６】
（請求項１に記載した発明の構成）
請求項１に記載した発明に係るパチンコ機のアウト玉計数装置（以下、請求項１のアウト玉計数装置という）は、パチンコ機の背面側に配置される受皿と、この受皿を離脱可能に取り付ける取付台と、アウト玉の計数器と、パチンコ玉流出用の１つの流出孔、及びこの流出孔に向けて下り傾斜した底面を有するスロープと、を備える。前記受皿は、前記取付台からの距離が異なる、アウト玉流出用の２つの流出孔を有し、かつ、これら２つの流出孔のいずれかを使用状態にすべく前記取付台に選択的に取り付けられ、前記スロープは、使用状態にした前記受皿の流出孔にアウト玉を流出すべく前記受皿に取り付けられ、前記計数器は、使用状態にした前記受皿の流出孔から流出するアウト玉を計数すべく前記受皿又は取付台に取り付けられることを特徴とする。受皿は、実質的に長方形や実質的に正方形の平面形状を有するものの他、実質的に楕円形の平面形状、その他の平面形状を有するものとすることができる。取付台は、パチンコ機の背面に固定するか、又はパチンコ島に設けるパチンコ機設置台に固定することができる。取付台は、受皿が取付台に対して回ることなく、受皿を離脱可能に取り付けることができる構造とする。受皿は、受皿と取付台との摩擦による他、ボルト・ナットのねじ込みなどにより取付台に取り付けうる。計数器は、非接触接点を有するものや、光電管を備えたものなど、アウト玉の通過を確実に検出できるものであれば、どのようなタイプでも使用できる。スロープは、使用状態にした受皿の流出孔に応じて受皿に対する取付け位置を変え、使用状態にした受皿の流出孔にアウト玉を導くことができる限り、どのような形状でもよく、スロープの流出孔は、受皿の２つの流出孔との関係でスロープの側縁、側縁以外の中間部分に設けることができる。
【０００７】
（請求項１に記載した発明の作用効果）
取付台が受皿を離脱可能に取り付けることから、取付台から近い距離にある流出孔を使用状態とするか、または取付台から遠い距離にある流出孔を使用状態とするように受皿を取付台に選択的に取り付けることができる。そして、受皿がいずれの流出孔を使用状態としていても、スロープが使用状態にした受皿の流出孔にアウト玉を導くため、アウト玉をその流出孔から落下させることができる。このように、受皿の２つの流出孔が取付台から異なる距離を占めるため、アウト玉の落下地点が異なる２箇所となるところ、パチンコ機をパチンコ島に設置してから、受皿の取付位置を変えることによりパチンコ島の島幅変化に対処できるため、集合樋を幅の異なる集合樋と交換する必要はない。
【０００８】
（請求項２に記載した発明の構成）
請求項２に記載した発明に係るパチンコ機のアウト玉計数装置（以下、請求項２のアウト玉計数装置という）は、請求項１のアウト玉計数装置に限定が加わり、前記受皿は、底面から下方へ向けて突出した差込片を有し、前記取付台は、前記差込片を受け入れて固定する受入孔を有することを特徴とする。差込片と受入孔とは、受入孔を共通とし、受皿の一方の流出孔を使用状態にもたらす差込片の位置と、受皿の他方の流出孔を使用状態にもたらす差込片の位置とを異ならせるように形成することができる。さらに、受皿の一方の流出孔が使用状態にあるとき互いに係合するものと、受皿の他方の流出孔が使用状態にあるとき互いに係合するものとが異なるように、換言すると、受皿の１つの流出孔に対して独自の差込片及び受入孔が存在し、受皿の他の流出孔に対して独自の差込片及び受入孔が存在するように形成することができる。差込片は、断面形状が方形、円形、楕円形その他の任意の形状を呈するように形成することができる。そして、差込片の数は、１つ又は複数とするが、１つの場合には、差込片を受入孔に差し込んだとき、受皿が取付台に対して回らないような構造とする。
【０００９】
（請求項２に記載した発明の作用効果）
請求項２のアウト玉計数装置によれば、受皿の差込片を取付台の受入孔に差し込み、また差込片を受入孔から引き抜くだけで受皿の取付け、離脱ができるため、受皿を速やかに使用状態にもたらすことができる。
【００１０】
（請求項３に記載した発明の構成）
請求項３に記載した発明に係るパチンコ機のアウト玉計数装置（以下、請求項３のアウト玉計数装置という）は、請求項１又は２のアウト玉計数装置に限定が加わり、前記計数器は、前記受皿に取り付けられることを特徴とする。受皿には前もって、２つの流出孔にそれぞれ対応する位置に計数器の取付部を設けておくことが好ましい。計数器は、計数器をホルダに、そしてホルダを受皿に取り付ける形態の他、計数器を直接受皿に取り付ける形態で取り付けることができる。計数器の取付けは、ホルダ又は計数器に設けたクリップを、受皿の取付部に開けた貫通孔に差し込むことによる取付けや、ボルトをホルダ又は計数器と受皿の貫通孔とに通し、ナットをボルトにねじ込むことによる取付け、ホルダ又は計数器に通したタッピングねじを受皿の取付部にねじ込むことにより取付けなどとすることができる。
【００１１】
（請求項３に記載した発明の作用効果）
請求項３のアウト玉計数装置によれば、取付台に計数器を取り付ける場合と比べて、計数器を簡単な構造で取り付けることができる。計数器は、アウト玉が通過する流出孔の直ぐ近くに取り付けることが正確な計数のために好ましいところ、取付台に計数器を取り付けるようにすると、計数器を流出孔の近くに位置させるための比較的複雑な取付構造が必要となる。
【００１２】
（請求項４に記載した発明の構成）
請求項４に記載した発明に係るパチンコ機のアウト玉計数装置（以下、請求項４のアウト玉計数装置という）は、請求項１ないし３のいずれかに記載したアウト玉計数装置に限定が加わり、前記受皿は、実質的に長方形の平面形状を有し、前記２つの流出孔は、長方形の短辺及び長辺にそれぞれ対応する部位に設けられたことを特徴とする。
【００１３】
（請求項４に記載した発明の作用効果）
請求項４のアウト玉計数装置によれば、２つの流出孔を有する受皿を無駄なく作ることができる。実質的に正方形の平面形状を有する受皿の場合、遠くにあるべき流出孔の位置を基準として受皿の大きさが定まる。これに対して、実質的に長方形の平面形状を有する受皿の場合、遠くにあるべき流出孔を長方形の短辺に対応する部位に、また近くにあるべき流出孔を長方形の長辺に対応する部位に設けるため、流出孔の位置に応じて長方形の大きさを定めることができる。
【００１４】
（請求項５に記載した発明の構成）
請求項５に記載した発明に係るパチンコ機のアウト玉計数装置（以下、請求項５のアウト玉計数装置という）は、請求項４のアウト玉計数装置に限定が加わり、  前記スロープは、実質的に正方形の平面形状を有することを特徴とする。スロープの大きさは、正方形の一辺の長さが受皿の長方形の短辺よりも短くなり、スロープが受皿内に入るように定める。
【００１５】
（請求項５に記載した発明の作用効果）
請求項５のアウト玉計数装置によれば、スロープの製作が簡単である。
【００１６】
【発明の実施の形態】
以下、図面を参照して本発明の実施の形態について説明する。図１は、受皿の近くの流出孔を使用状態にしたパチンコ機の背面図である。図２は、図１の平面図である。図３は、受皿の平面図である。図４は、受皿の正面図である。図５は、受皿の左側面図である。図６は、スロープの平面図である。図７は、スロープの正面図である。図８は、図１に示した受皿と取付台とスロープとを分解して示す正面図である。図９は、図１に示した受皿と取付台とスロープとを分解して示す平面図である。図１０は、受皿の遠くの流出孔を使用状態にしたパチンコ機の背面図である。図１１は、図１０の平面図である。図１２は、図１０に示した受皿と取付台とスロープとを分解して示す正面図である。図１３は、図１０に示した受皿と取付台とスロープとを分解して示す平面図である。図１４は、図１に示した受皿と計数器とを分解して示す正面図である。図１５は、図１に示した受皿と計数器とを分解して示す平面図である。図１６は、図１０に示した受皿と計数器とを分解して示す正面図である。図１７は、図１０に示した受皿と計数器とを分解して示す平面図である。
【００１７】
（パチンコ機の概略構成）
図１に示すパチンコ機１１は、正面（図１の紙面裏面）を遊技面（図示を省略）とした、それ自体公知の構造のものであり、背面側（図１の紙面表面側）に受皿２３が配置されている。パチンコ機１１に設けたハンドル（図示を省略）を回すと遊技玉が跳ね上げられる。遊技玉は、役物孔その他の孔（図示を省略）に入った後排出され、またアウト通路を経て排出され、図１に示す出口孔２１ａからアウト玉として受皿２３に導かれる。図１及び２に示すように、受皿２３に入ったアウト玉は、流出する間に計数器２５で計数され、パチンコ島の中央に配置した、パチンコ機１１の遊技面と実質的に平行な方向へ延びる集合樋２７に落下する。図２から明らかであるように、パチンコ島の島幅が大きくなり、受皿２３がパチンコ島の中心Ｃから遠くへ（図２の上方向に）離れると、落下したアウト玉が集合樋２７から外れ、こぼれてしまう。このような場合に従来では、前述のように集合樋２７を既存の集合樋より幅の大きな集合樋と交換することにより対処していた。
【００１８】
（アウト玉計数装置の構成）
本発明に係るパチンコ機のアウト玉計数装置２１は、受皿２３と、アウト玉の計数器２５と、受皿２３を離脱可能に取り付ける取付台２９と、スロープ３１と、を備えている。
【００１９】
（受皿の構成）
受皿２３は、図１ないし図５に示すように、取付台２９に取り付けたとき、取付台２９からの距離が異なるように開けられた、アウト玉流出用の２つの流出孔３３ａ，３３ｂを有する。受皿２３は、２つの流出孔３３ａ，３３ｂのいずれかを使用状態にすべく取付台２９に選択的に取り付けられるようになっている。
【００２０】
図３ないし図５に示した受皿２３は、４つの側片２３ａ，２３ｂ，２３ｃ，２３ｄを底片２３ｅから垂直に立ち上げて形成され、実質的に長方形の平面形状を呈している。受皿２３は、受皿２３に嵌められた補助皿３５を備えている。補助皿３５は、緩い下り傾斜の傾斜部３５ａと、底片２３ｅに載る平坦部３５ｂと、平坦部３５ｂから下方へ絞り出され、底片２３ｅの孔を通って下方へ突出した２つの通路部３５ｃ，３５ｄと、を有する。通路部３５ｃ，３５ｄはそれぞれ緩い下り傾斜の傾斜底片３５ｅを有し、２つの流出孔３３ａ，３３ｂが長方形の短辺である側片２３ｃ、及び長辺である側片２３ｂにそれぞれ対応する部位で、傾斜底片３５ｅの最下端部に設けられている。
【００２１】
受皿２３は、さらに、底片２３ｅの下側面から下方へ向けて突出した４つの差込片３７ａ，３７ｂ，３７ｃ，３７ｄを有する。差込片３７ａ，３７ｂ，３７ｃ，３７ｄは実質的に同じ大きさであり、平面形状が四角形を呈するように形成されている。そして、差込片３７ａ，３７ｂ間の間隔は、差込片３７ｃ，３７ｄ間の間隔と同じであり、差込片３７ａと差込片３７ｂとは、また差込片３７ｃと差込片３７ｄとは、長方形の中心Ｏに関して対称位置にある。
【００２２】
受皿２３及び補助皿３５は、アルミ又はアルミ合金、硬質樹脂を成形して作ることができる。成形する際、受皿２３と補助皿３５との２つに分けて個別に成形する他、補助皿３５を受皿２３と一体のものとして成形することができる。後者の態様では、補助皿３５が存在しないで、受皿２３に傾斜部３５ａと、底片２３ｅまたは平坦部３５ｂと、２つの通路部３５ｃ，３５ｄと、が設けられる。
【００２３】
（スロープの構成）
スロープ３１は、図６及び図７に示すように、パチンコ玉流出用の１つの流出孔３１ａと、流出孔３１ａに向けて下り傾斜した２つの底面３１ｂ，３１ｃと、を有する。スロープ３１は、使用状態にした受皿２３のいずれかの流出孔３３ａ，３３ｂにアウト玉を流出すべく受皿２３に取り付けられる。図示の実施形態では、スロープ３１は、補助皿３５に嵌まる大きさであり、実質的に正方形の平面形状を有する。スロープ３１を補助皿３５に嵌めたとき、スロープ３１の底面３１ｂ，３１ｃのエッジ３１ｄが受皿２３の傾斜部３５ａのエッジ３５ｆ（図４）と同じレベルとなるように、底面３１ｂ，３１ｃを形成してある。流出孔３１ａは切欠きであるが、スロープ３１を補助皿３５に嵌めたとき、受皿２３の側片２３ｃ，２３ｂと相俟ってアウト玉を通路部３５ｃ，３５ｄに導くことができる。スロープ３１は、アルミ又はアルミ合金、硬質樹脂を成形して作ることができる。
【００２４】
（受皿とスロープの作用）
スロープ３１を、図６に示した位置に保ち、補助皿３５内に入れると、流出孔３１ａが通路部３５ｄの上方に位置し、底面３１ｂが通路部３５ｃを覆う。その結果、受皿２３に入ったアウト玉はスロープ３１の底面３１ｂ，３１ｃを転がりながら、流出孔３１ａから通路部３５ｄに至り、流出孔３３ｂから落下する。一方、スロープ３１を、図６に示した位置から時計方向へ９０°回転して補助皿３５内に入れると、流出孔３１ａが通路部３５ｃの上方に位置し、底面３１ｃが通路部３５ｄを覆う。その結果、受皿２３に入ったアウト玉はスロープ３１の底面３１ｂ，３１ｃを転がりながら、流出孔３１ａから通路部３５ｃに至り、流出孔３３ａから落下する。
【００２５】
（取付台の構成）
取付台２９は受皿２３を離脱可能に取り付けるもので、図８及び図９を参照すると、受皿２３の差込片を受け入れて固定する受入孔２９ａを有する。図８及び図９では、差込片３８ａ，３８ｂ，３８ｃ，３８ｄは、平面形状が長方形を呈するものとして描いてあるが、これは差込片３７ａ，３７ｂ，３７ｃ，３７ｄの別の形態を示したものである。差込片３８ａ，３８ｂ，３８ｃ，３８ｄは実質的に同じ大きさであり、差込片３８ａ，３８ｂ間の間隔は、差込片３８ｃ，３８ｄ間の間隔と同じである。いずれの形態でも、差込片３７ａ，３７ｂ，３７ｃ，３７ｄ又は差込片３８ａ，３８ｂ，３８ｃ，３８ｄと取付台２９との関係は同じである。以下には、差込片３８ａ，３８ｂ，３８ｃ，３８ｄと取付台２９とについて述べる。
【００２６】
図８及び図９に示した実施形態では、取付台２９は２つの筒体２９ｂ，２９ｂを連結体２９ｃで結合した形態であり、平面形状が長方形の２つの受入孔２９ａ，２９ａが２つの筒体２９ｂ，２９ｂにそれぞれ設けられている。２つの受入孔２９ａ，２９ａの中心間距離は、差込片３８ａ，３８ｂの中心間距離と、また差込片３８ｃ，３８ｄの中心間距離とそれぞれ等しい。各受入孔２９ａは、壁面に凸状の摩擦手段を配置して作られている。
【００２７】
（受皿と取付台の作用）
受皿２３の２つの差込片３８ｃ，３８ｄを、図８及び図９に示した位置で取付台２９の２つの受入孔２９ａ，２９ａに差し込むと、各差込片３８ｃ，３８ｄは受入孔２９ａの摩擦手段と摩擦接触し、堅固に保持される。そして、スロープ３１を図示の位置で受皿２３に入れる。その結果、受皿２３の通路部３５ｄに連なる流出孔が使用状態となる。流出孔は、円筒状のガイド３９で覆ってある。この使用状態では、パチンコ機１１と、受皿２３と、集合樋２７とは、図１及び図２に示した関係となる。一方、受皿２３を図８及び図９において反時計方向へ９０°回すと図１２及び図１３に示した位置となる。この位置で受皿２３の２つの差込片３８ａ，３８ｂを取付台２９の２つの受入孔２９ａ，２９ａに差し込むと、各差込片３８ａ，３８ｂは受入孔２９ａの摩擦手段と摩擦接触し、堅固に保持される。そして、スロープ３１を図示の位置で受皿２３に入れる。その結果、受皿２３の通路部３５ｃに連なる流出孔が使用状態となる。この使用状態では、パチンコ機１１と、受皿２３と、集合樋２７とは、図１０及び図１１に示した関係となる。
【００２８】
図２と図１１から明らかであるように、図１１に示した使用状態では図２に示した使用状態よりも、受皿２３の流出孔がパチンコ島の中心線Ｃの近くに位置している。これは、換言すると、パチンコ機１１を集合樋２７から遠方へ離すことができることであるから、集合樋２７を交換することなく、パチンコ島の島幅の増加に対処できる。
【００２９】
（受皿と取付台の別の実施形態）
図８と、図９と、図１２と、図１３とに示した実施形態では、受皿２３の２つの差込片を取付台２９の２つの受入孔２９ａに差し込んでいる。これに代えて、受皿２３の１つの差込片を取付台２９の１つの受入孔に差し込んで受皿２３を取り付けることもできる。この場合、図３の仮想線で示すように、中心Ｏを中心として、つまり２つの差込片３７ａ，３７ｂを結ぶ中心線と、２つの差込片３７ｃ，３７ｄを結ぶ中心線との交点Ｏを中心として、１つの差込片３７を設ける。差込片３７は、平面形状が正方形であり、各辺は受皿２３の側片２３ａ，２３ｂ，２３ｃ，２３ｄと平行である。一方、取付台２９には、差込片３７を差込可能な１つの受入孔を設けておく。図９に示した差込片の場合も同様に、２つの差込片３８ａ，３８ｂを結ぶ中心線と、２つの差込片３８ｃ，３８ｄを結ぶ中心線との交点を中心として、平面形状が正方形である１つの差込片を設ければ良い。１つの差込片の場合には、受皿２３の安定性を高める必要があるため、正方形の一辺の長さを２つの差込片を設ける場合と比べて長くする。
【００３０】
（計数器の取付構成）
アウト玉の計数器２５は、使用状態にした受皿２３の流出孔３３ａ，３３ｂから流出するアウト玉を計数すべく受皿２３又は取付台２９に取り付けられるところ、図１４ないし図１７には計数器２５を受皿２３に取り付ける実施形態を示してある。図示の実施形態では、計数器２５はホルダ４１を介して受皿２３に取り付けてある。ホルダ４１は、平面形状がＬ字状を呈する、上下に間隔をおいた一対の挟持片４１ａ，４１ａと、下側の挟持片４１ａの下方に配置した底片４１ｂと、を有する。ホルダ４１は、さらに、２つのクリップ４３，４３を左右に間隔をおいて有する。計数器２５を一対の挟持片４１ａ，４１ａ間に押し込んで挟持させると共に、計数器２５を底片４１ｂに載せて計数器２５はホルダ４１に支持される。
【００３１】
一方、受皿２３には、取付部を前もって設けておく。図１４及び図１５の２つの取付部４５ａ，４５ａはそれぞれ貫通孔である。２つの取付部４５ａ，４５ａは、各貫通孔にクリップ４３，４３を差し込んで取り付けたとき、通路部３５ｄから流出するアウト玉が計数器２５を通過し、計数できる位置に設けてある。また、図１６及び図１７の２つの取付部４５ｂ，４５ｂはそれぞれ貫通孔である。２つの取付部４５ｂ，４５ｂは、各貫通孔にクリップ４３，４３を差し込んで取り付けたとき、通路部３５ｃから流出するアウト玉が計数器２５を通過し、計数できる位置に設けてある。
【００３２】
（計数器の取付方）
計数器２５をホルダ４１に支持させ、図１４及び図１５の位置にある受皿２３の取付部４５ａ，４５ａにクリップ４３，４３を嵌める。そうすると、計数器２５は通路部３５ｄから流出するアウト玉を計数することができる。一方、受皿２３を９０°反時計方向へ回して図１６及び図１７の位置にしたとき、受皿２３の取付部４５ｂ，４５ｂにクリップ４３，４３を嵌める。そうすると、計数器２５は通路部３５ｃから流出するアウト玉を計数することができる。
【００３３】
【発明の効果】
本発明によれば、パチンコ島に配置する集合樋を交換することなく、パチンコ島の島幅の変化に対処できる。
【図面の簡単な説明】
【図１】受皿の、近くにある流出孔を使用状態にしたパチンコ機の背面図である。
【図２】図１の平面図であり、パチンコ機と集合樋との関係を併せて示している。
【図３】受皿の平面図である。
【図４】受皿の正面図である。
【図５】受皿の左側面図である。
【図６】スロープの平面図である。
【図７】スロープの正面図である。
【図８】図１に示した受皿と取付台とスロープとを分解して示す正面図である。
【図９】図１に示した受皿と取付台とスロープとを分解して示す平面図である。
【図１０】受皿の、遠くにある流出孔を使用状態にしたパチンコ機の背面図である。
【図１１】図１０の平面図であり、パチンコ機と集合樋との関係を併せて示している。
【図１２】図１０に示した受皿と取付台とスロープとを分解して示す正面図である。
【図１３】図１０に示した受皿と取付台とスロープとを分解して示す平面図である。
【図１４】図１に示した受皿と計数器とを分解して示す正面図である。
【図１５】図１に示した受皿と計数器とを分解して示す平面図である。
【図１６】図１０に示した受皿と計数器とを分解して示す正面図である。
【図１７】図１０に示した受皿と計数器とを分解して示す平面図である。
【符号の説明】
１１            パチンコ機
２１            アウト玉計数装置
２１ａ          出口孔
２３            受皿
２３ａ，２３ｂ，２３ｃ，２３ｄ  側片
２３ｅ          底片
２５            計数器
２７            集合樋
２９            取付台
２９ａ          受入孔
２９ｂ          筒体
２９ｃ          連結体
３１            スロープ
３１ａ          流出孔
３１ｂ，３１ｃ  底面
３１ｄ          エッジ
３３ａ，３３ｂ  流出孔
３５            補助皿
３５ａ          傾斜部
３５ｂ          平坦部
３５ｃ，３５ｄ  通路部
３５ｅ          傾斜底片
３５ｆ          エッジ
３７，３７ａ，３７ｂ，３７ｃ，３７ｄ  差込片
３８ａ，３８ｂ，３８ｃ，３８ｄ  差込片
３９            ガイド
４１            ホルダ
４１ａ          挟持片
４１ｂ          底片
４３            クリップ
４５ａ，４５ｂ  取付部
【図１】
2004173822.tif 000003
【図２】
2004173822.tif 000004
【図３】
2004173822.tif 000005
【図４】
2004173822.tif 000006
【図５】
2004173822.tif 000007
【図６】
2004173822.tif 000008
【図７】
2004173822.tif 000009
【図８】
2004173822.tif 000010
【図９】
2004173822.tif 000011
【図１０】
2004173822.tif 000012
【図１１】
2004173822.tif 000013
【図１２】
2004173822.tif 000014
【図１３】
2004173822.tif 000015
【図１４】
2004173822.tif 000016
【図１５】
2004173822.tif 000017
【図１６】
2004173822.tif 000018
【図１７】
2004173822.tif 000019